(57)【特許請求の範囲】
【請求項１】
異なる２つの線密度を有する画像を含む画像データの規定位置からのずれ量を、各線密度部分について画素数分だけ補正して前記画像データの記録開始位置を決定する画像記録位置制御方法において、
前記ずれ量から計算された各線密度部分の補正画素数から、該各線密度部分の補正距離の相対誤差を、該各線密度部分の補正画素数を漸増または漸減させながら複数算出し、該補正距離の相対誤差が最小となる前記各線密度部分の補正画素数の組み合わせを決定し、該補正画素数に基づいて前記画像データの記録開始位置を決定することを特徴とする画像記録位置制御方法。
【請求項２】
前記規定位置と前記画像データの記録開始位置との間隔が所定の距離以下または所定の距離以上となるように、前記各線密度部分の補正画素数の漸増または漸減回数を制限することを特徴とする請求項１記載の画像記録位置制御方法。
【請求項３】
前記異なる２つの線密度を有する画像を含む画像データの規定位置からのずれ量は、円筒ドラムに対するネガフィルムの主走査方向のずれ量であって、該主走査方向のずれ量から計算された２つの線密度部分の補正画素数から、該２つの線密度部分の各々の補正距離の相対誤差を、該２つの線密度部分の各々の補正画素数を１つずつ増加または減少させながら複数算出し、該補正距離の相対誤差が最小となる前記２つの線密度部分の各々の補正画素数の組み合わせを決定し、該補正画素数に基づいて前記画像データの記録開始位置を決定することを特徴とする請求項１または２記載の画像記録位置制御方法。
【発明の詳細な説明】
【０００１】
【発明の属する技術分野】
本発明は、画像記録位置制御方法に関し、特に、版下プロッタにおいて、円筒ドラム内に巻き付けられたネガフィルムの規定位置からのずれを考慮して、ネガフィルムへの画像データの記録開始位置を決定する場合等において使用される画像記録位置制御方法に関する。
【０００２】
【従来の技術】
従来、図５に示すように、中央の新聞社内において、記事入力システム１１またはＣＴＳスキャナ１２を介して圧縮入力された画像データを各地の印刷工場にＣＣＵ（通信制御装置）１７を介して伝送し、半導体レーザにより銀鉛型感材のネガフィルムに記録するため版下プロッタ１５が使用されている。また、中央の新聞社内においても、ＣＰＵ（中央処理装置）１３を介して画像データをモニタＦＡＸ１４で伝送する他、版下プロッタ１５または直接製版記録装置１６に伝送し、新聞の印刷等を行っていた。
【０００３】
そして、版下プロッタから自動現像機へ送り出されたネガフィルムは版下フィルムとして出力され、製版機にてＰＳ版と呼ばれるアルミ版に焼き付けられ、版は輪転機に掛けられ、新聞が印刷される。
【０００４】
版下プロッタでは、図６に示すように、受信した画像データを一旦画像メモリに蓄積しながら、ネガフィルム２を円筒ドラム１内に巻き付け、ネガフィルム２内の回転光学系５により矢印Ｍ方向に画像の主走査を行うとともに、円筒ドラム１をＸ方向に移動させることにより矢印Ｓ方向に画像の副走査を行い、画像メモリから画像データを読み出してネガフィルム２に記録している。
【０００５】
この版下プロッタでは、円筒ドラム１内にネガフィルム２を巻き付ける際に、規定位置に巻き付けられるように制御しているが、実際には、多少規定位置よりずれた位置に巻き付けられる。
【０００６】
すなわち、図７（ａ）に示すように、ネガフィルム２が円筒ドラム１に対して規定位置に巻き付けられた場合には、そのままネガフィルム２の規定位置に画像データ３が記録されるため問題はないが、図７（ｂ）に示すように、ネガフィルム２が円筒ドラム１に対して点線で示す規定位置に巻き付けられなかった場合には、そのままではネガフィルム２の規定位置に画像データ３が記録されないという問題がある（同図では、左側にずれた位置に記録されている）。
【０００７】
そのため、図７（ｃ）に示すように、ネガフィルム２が円筒ドラム１に対して規定位置に巻き付けられなかった場合でも、画像データ３のネガフィルム２への記録開始位置を補正してネガフィルム２の規定位置に画像データ３を記録する必要がある。
【０００８】
この点についてさらに詳しく説明すると、図８に示すように、円筒ドラム１内に巻き付けられたネガフィルム２の位置は規定位置Ｏを中心に主走査方向（Ｍ方向）にばらつき、規定位置Ｏと実際の巻き付け位置Ｗとは距離Ｎだけずれている。そのため、ネガフィルム２が円筒ドラム１の規定位置に巻き付けられていた場合における画像データ３のネガフィルム２に対する記録規定位置Ｏ’に、補正値Ｚを加えて記録開始位置Ｉよりネガフィルム２に対して画像データ３を記録する必要が生ずる。
【０００９】
上記動作を行うため、図９に示す主走査エッジ検出機構４により、規定位置Ｏとネガフィルム２の巻き付け位置Ｗとのずれ量Ｎを測定する。尚、主走査エッジ検出機構４は、本実施例においては、４０μｍ単位で主走査方向（Ｍ方向）に原点Ｏ４から８ｍｍまで動作可能であり、原点Ｏ４から４ｍｍの位置が規定位置Ｏとなっている。
【００１０】
次に、ネガフィルム２に対して画像データ３の記録を開始する際に、図８に示すように、ずれ量Ｎから補正値Ｚを算出し、記録規定位置Ｏ’に加算する。
【００１１】
この時、指定された線密度（画像密度）により記録を行うが、新聞社によっては複数の線密度によって新聞紙の紙面イメージが構成される。
【００１２】
例えば、図１０（ａ）に示すように、上下２段に４５４ＬＰＩ画像（１０００／２．２ＬＰＩの通称であって、「ＬＰＩ」は、１インチ当たりのライン数）と６０２ＬＰＩ画像（１３２５／２．２ＬＰＩの通称）が現れる紙面や、図１０（ｂ）に示すように、上下２段に４５４ＬＰＩ画像と６０２ＬＰＩ画像が現れるとともに、中段には４５４ＬＰＩ画像と６０２ＬＰＩ画像が混在する紙面が存在する。
【００１３】
【発明が解決しようとする課題】
ここで、円筒ドラム１に対するネガフィルム２の巻き付け位置のずれを、記録する線密度の画素数に変換した後上記補正を行ない、画素サイズの未満の端数を処理すると、ネガフィルム２において異なる線密度間で主走査方向に画像データ３のずれが生ずる。
【００１４】
すなわち、図１１に示すように、巻き付け位置のずれＮ（図８）を補正するため、例えば、図１１（ａ）に示すように、第１線密度の場合には補正量が３画素分であったのが、図１１（ｂ）に示すように、第２線密度では５画素分となり、各々の画素の数だけネガフィルム２に対する画像データ３の記録位置を補正すると、記録される画像データの位置がＸだけずれることとなる。
【００１５】
従って、図１２に示すように、ずれ量Ｎを補正した場合に、４５４ＬＰＩの部分の補正距離Ｄ１と６０２ＬＰＩの部分の補正距離Ｄ２が異なる値となり、これらの記録画像位置にＤ２−Ｄ１のずれが生ずる。
【００１６】
この点についてさらに詳細に説明すると、補正値Ｚは、記録する線密度の画素数に基づいて以下のように算出される。
【００１７】
図１２において、ネガフィルム２の巻き付け位置のずれ量Ｎが３．１ｍｍであったとすると、４５４ＬＰＩ部分における補正量（画素数で表した補正量であって、以下「補正画素数」という）は以下のように計算される。
【００１８】
【式１】
0003616500.tif 000002
一方、６０２ＬＰＩ部分における補正画素数は以下のように計算される。
【００１９】
【式２】
0003616500.tif 000003
そして、上記画素数から、補正距離を計算すると、４５４ＬＰＩ部分における補正距離Ｄ１は、
５５×０．０５５８８ｍｍ＝３．０７３４ｍｍ
一方、６０２ＬＰＩ部分における補正距離Ｄ２は、
７４×０．０４２１７ｍｍ＝３．１２０６ｍｍ
となり、４５４ＬＰＩ部分の画像と、６０２ＬＰＩ部分の画像との相対的な位置ずれ量は、Ｄ１−Ｄ２＝３．０７３４ｍｍ−３．１２０６ｍｍ＝−４７．２μｍとなる。
【００２０】
尚、Ｎ−Ｄ１は、ずれ量Ｎと上記補正距離Ｄ１との誤差であり、Ｎ−Ｄ２は、ずれ量Ｎと上記補正距離Ｄ２との誤差である。
【００２１】
ここで、一般に、版下フィルム上の直線のずれを肉眼で見るとき、１０μｍ以下のずれの場合には全くずれを認めることができないが、３０μｍ以上のずれははっきりと認識することができるため、上記例の場合には問題となる。
【００２２】
そこで、本発明は上記従来の画像記録位置制御方法における問題点に鑑みてなされたものであって、異なる線密度を有する２つの画像が混在する場合でも、画像の記録位置の相対的なずれを最小限に押さえることにより、画像のずれを肉眼で認識できない程度に留めることが可能な画像記録位置制御方法を提供することを目的とする。
【００２３】
【課題を解決するための手段】
請求項１記載の発明は、異なる２つの線密度を有する画像を含む画像データの規定位置からのずれ量を、各線密度部分について画素数分だけ補正して前記画像データの記録開始位置を決定する画像記録位置制御方法において、前記ずれ量から計算された各線密度部分の補正画素数から、該各線密度部分の補正距離の相対誤差を、該各線密度部分の補正画素数を漸増または漸減させながら複数算出し、該補正距離の相対誤差が最小となる前記各線密度部分の補正画素数の組み合わせを決定し、該補正画素数に基づいて前記画像データの記録開始位置を決定することを特徴とする。
【００２４】
請求項２記載の発明は、前記規定位置と前記画像データの記録開始位置との間隔が所定の距離以下または所定の距離以上となるように、前記各線密度部分の補正画素数の漸増または漸減回数を制限することを特徴とする。
また、請求項３記載の発明は、前記画像記録位置制御方法において、前記異なる２つの線密度を有する画像を含む画像データの規定位置からのずれ量は、円筒ドラムに対するネガフィルムの主走査方向のずれ量であって、該主走査方向のずれ量から計算された２つの線密度部分の補正画素数から、該２つの線密度部分の各々の補正距離の相対誤差を、該２つの線密度部分の各々の補正画素数を１つずつ増加または減少させながら複数算出し、該補正距離の相対誤差が最小となる前記２つの線密度部分の各々の補正画素数の組み合わせを決定し、該補正画素数に基づいて前記画像データの記録開始位置を決定することを特徴とする。
【００２５】
そして、請求項１記載の発明によれば、ずれ量から計算された各線密度部分の補正画素数から、該各線密度部分の補正距離の相対誤差を、該各線密度部分の補正画素数を漸増または漸減させながら複数算出し、該補正距離の相対誤差が最小となる前記各線密度部分の補正画素数の組み合わせを決定し、該補正画素数に基づいて前記画像データの記録開始位置を決定するため、異なる線密度を有する２つの画像が混在する場合でも、画像の記録位置の相対的なずれを最小限に押さえることにより、画像のずれを肉眼で認識できない程度に留めることが可能となる。
【００２６】
請求項２記載の発明によれば、規定位置と画像データの記録開始位置との間隔が所定の距離以下または所定の距離以上となるように、各線密度部分の補正画素数の漸増または漸減回数を制限するため、規定位置からの画像データの記録開始位置のずれ量を所定距離以下に留めることができる。
また、請求項３記載の発明によれば、円筒ドラムに対してネガフィルムが主走査方向にずれている場合でも、ネガフィルムに対する画像の記録位置を補正しながら、異なる２つの線密度部分の走査方向の相対的なずれ量を最小限に押さえることができる。
【００２７】
【発明の実施の形態】
次に、本発明にかかる画像記録位置制御方法の実施の形態の具体例を図面を参照しながら説明する。
【００２８】
図６に示すように、版下プロッタでは、円筒ドラム１内にネガフィルム２を巻き付ける際に、規定位置に巻き付けられるように制御しているが、実際には、多少規定位置よりずれた位置に巻き付けられる。そして、図８に示すように、規定位置Ｏと実際の巻き付け位置Ｗとが距離Ｎだけずれている場合に、画像データ３のネガフィルム２に対する記録規定位置Ｏ’に補正値Ｚを加えて記録開始位置Ｉよりネガフィルム２に対して画像データ３を記録する必要が生ずるが、異なる線密度を有する２つの画像が混在する場合には、ネガフィルム２に対する画像の記録位置の相対的なずれが生じる。この相対的なずれ量は、図１２におけるＤ１−Ｄ２として表されるが、このＤ１−Ｄ２を最小限に押さえるのが本発明にかかる画像記録位置制御方法であって、以下この画像記録位置制御方法について主に図１乃至図３を参照しながら具体的に説明する。
【００２９】
本発明においても、上記従来例の場合と同様に、円筒ドラム１に対するネガフィルム２の巻き付け位置のずれ量Ｎが３．１ｍｍであったとすると、４５４ＬＰＩ部分（以下「第１線密度部分」という）における補正画素数及び６０２ＬＰＩ部分（以下「第２線密度部分」という）における補正画素数は、ステップＳ１、Ｓ２において、各々上記式１及び式２によって計算され、第１線密度部分については５５画素、第２線密度部分については７４画素となる。
【００３０】
次に、ステップＳ３においてｎ＝１とした後、ステップＳ４において、上記画素数から第１線密度部分の補正距離Ｄ１を計算すると、
Ｄ１＝Ｚ１（第１線密度部分の補正画素数）×Ｓ１（第１線密度部分の画素サイズ）となるため、第１線密度部分における補正距離Ｄ１は、
Ｄ１＝５５×０．０５５８８ｍｍ＝３０７３４［０．１μｍ］
となる。
【００３１】
一方、ステップＳ５において、第２線密度部分における補正距離Ｄ２は、同様に、
Ｄ２＝Ｚ２（第２線密度部分の補正画素数）×Ｓ２（第２線密度部分の画素サイズ）となるため、第２線密度部分における補正距離Ｄ２は、
Ｄ２＝７４×０．０４２１７ｍｍ＝３１２０６［０．１μｍ］
となる。
【００３２】
次に、第１線密度部分の補正距離Ｄ１と、第２線密度部分の補正距離Ｄ２の距離のＧ１を計算すると、
Ｇ１＝Ｄ２−Ｄ１＝３１２０６−３０７３４＝＋４７２［０．１μｍ］
となる。
【００３３】
そして、ステップＳ７において、Ｚ１、Ｄ１、Ｚ２、Ｄ２、Ｇ１を、図２に示す補正パターン候補登録エリアにエントリすると、図３に示すようになる。次に、ステップＳ８において、ｎ＝ｎ＋１とした後、ステップＳ９において、ｎ＝１６であるか否かを判定し、ＮＯの場合にはステップＳ１０に移る。尚、ＹＥＳの場合の動作については後述する。
【００３４】
次に、第２候補を算出するため、ステップＳ１０において、Ｄ２＞Ｄ１か否かを判定し、ＹＥＳの場合には、Ｚ１に１を加算する。ここでは、Ｄ２＞Ｄ１であるため、Ｚ１＝５５＋１＝５６となる。
【００３５】
また、ステップＳ１２において、Ｄ２＜Ｄ１か否かを判定し、ＹＥＳの場合には、Ｚ２に１を加算する。ここでは、Ｄ２＞Ｄ１であるため、Ｚ２＝７４のままとする。
【００３６】
これらＺ１及びＺ２に基づいて再度Ｄ１、Ｄ２、Ｇ２（＝Ｄ２−Ｄ２）を計算すると、図３に示すように第２候補が得られる。同様に、ｎ＝１６となるまで上記動作を繰り返し、１６種類の候補が補正パターン候補が登録エリアにエントリされる。
【００３７】
そして、ステップＳ１４において、１６種類の補正パターン候補から、第２線密度部分の補正距離Ｄ２と第１線密度部分の補正距離Ｄ１の差Ｇｎが最も小さい候補を選択する。ここでは、Ｇ７＝＋６１が最も小さいため、第７候補を選択する。
【００３８】
第７候補に基づいて、ステップＳ１５において、版下フィルムへの紙面イメージ画像の記録開始位置を補正すると、異なる画像線密度の紙面イメージ間で相対的な記録位置のずれを最小にすることができる。この場合、相対的な位置のずれ量は６．１μｍである。６．１μｍのずれは、例えば、４５４ＬＰＩ画像から６０２ＬＰＩ画像に連続する直線が存在したとしても肉眼でずれを認識することができない程度のものであって問題とはならない。
【００３９】
また、ずれ量Ｎ＝３．１ｍｍに対して、実際の補正距離は３．２４ｍｍとなるので、ネガフィルム上の画像の位置は規定位置より３．２４ｍｍ−３．１ｍｍ＝１４０μｍずれることになる。
【００４０】
尚、上記実施例において、ｎ＝１６としたのは以下の理由によるものであり、本発明にかかる画像記録位置制御方法を限定するものではない。
【００４１】
線密度が４５４（１０００／２．２）ＬＰＩと６８１（１５００／２．２）ＬＰＩの場合には、一方の補正画素数と他方の補正画素数の最小公倍数の整数倍の画素数があれば、誤差は０となるため、ｎ＝３とすることによりＧｎは必ず０となる場合が存在する。
【００４２】
一方、同様に、４５４（１０００／２．２）ＬＰＩと６０２（１３２５／２．２）ＬＰＩの場合には、ｎ＝５３としなければ、０となるＧｎを得ることができない。しかし、ｎ＝５３とすると、版下フィルム上での画像データの記録開始位置精度が±１．１ｍｍも落ちてしまう。
【００４３】
従って、ｎを１から１６に制限することにより、画像データの記録開始位置精度を±０．３３ｍｍに留めたものである。尚、この時のＧｎは最大で６μｍとなる。
【００４４】
以上のように、ｎを大きくすると、相対的な記録位置のずれ量は小さくなるが、記録開始位置精度は低下する。一方、ｎを小さくすると、記録開始位置精度は向上するが、相対的な記録位置のずれ量は小さく絞り切れないこととなる。
【００４５】
【発明の効果】
以上説明したように、請求項１記載の発明によれば、異なる線密度を有する２つの画像が混在する場合でも、画像の記録位置の相対的なずれを最小限に押さえることにより、画像のずれを肉眼で認識できない程度に留めることが可能な画像記録位置制御方法を提供することができる。
【００４６】
請求項２記載の発明によれば、規定位置からの画像データの記録開始位置のずれ量を所定距離以下に留めることが可能な画像記録位置制御方法を提供することができる。
また、請求項３記載の発明によれば、円筒ドラムに対してネガフィルムが主走査方向にずれている際に、ネガフィルムに対する画像の記録位置を補正した場合でも、異なる２つの線密度部分の走査方向の相対的なずれ量を最小限に押さえることが可能な画像記録位置制御方法を提供することができる。
【図面の簡単な説明】
【図１】本発明にかかる画像記録位置制御方法の一実施例の動作を示すフローチャートである。
【図２】本発明にかかる画像記録位置制御方法の一実施例において使用される補正パターン候補登録エリアを示す図である。
【図３】図２の補正パターン候補登録エリアへのエントリ例を示す図である。
【図４】図２の補正パターン候補登録エリアへのエントリ例を示す図である。
【図５】従来の新聞紙の製造システムを説明するためのブロック図である。
【図６】従来の版下プロッタにおける円筒ドラム内に巻き付けられたネガフィルムを示す概略図である。
【図７】従来の版下プロッタにおける円筒ドラムと、ネガフィルムと、画像データの位置関係を示す概略図である。
【図８】従来の版下プロッタにおける円筒ドラムと、ネガフィルムと、画像データの位置関係を示す詳細図である。
【図９】図８の版下プロッタに付設された主走査エッジ検出機構近傍を示す詳細図である。
【図１０】紙面に異なる２つの線密度部分が存在する場合を示す概略図である。
【図１１】円筒ドラムに対するネガフィルムの巻き付け位置のずれを、記録する線密度の画素数に変換し、画素サイズの未満の端数を処理して位置ずれの補正を行った場合を示す説明図である。
【図１２】紙面に異なる２つの線密度部分が存在する場合の画像データの位置ずれ状態の説明図である。
【符号の説明】
１        円筒ドラム
２            ネガフィルム
３            画像データ
４            主走査エッジ検出機構
５            回転光学系
【図１】
0003616500.tif 000004
【図２】
0003616500.tif 000005
【図３】
0003616500.tif 000006
【図４】
0003616500.tif 000007
【図５】
0003616500.tif 000008
【図６】
0003616500.tif 000009
【図７】
0003616500.tif 000010
【図８】
0003616500.tif 000011
【図９】
0003616500.tif 000012
【図１０】
0003616500.tif 000013
【図１１】
0003616500.tif 000014
【図１２】
0003616500.tif 000015